(57)【要約】【課題】簡単なシステム構成であってエネルギー効率が極めて高く、蓄熱槽の熱容量を適宜設定可能な蓄熱式給湯空調システムを提供する。【解決手段】圧縮機２２と、圧縮機２２の出口側に接続された高温用熱交換器２３と、圧縮機２２により循環させられる冷媒の配管経路に、膨張弁２７を挟んで設けられた一対の液体熱交換器２６，２８を備える。圧縮機２２から送り出される冷媒の、一対の液体熱交換器２６，２８を通過する順序を切り替える四方弁２４を備える。高温用熱交換器２３は、温水専用の蓄熱槽１４の水との間で熱交換して、温水専用の蓄熱槽１４内の水を温める。一対の液体熱交換器２６，２８には、開閉用の弁を介して他の複数の蓄熱槽１２，１６が接続されている。一対の液体熱交換器２６，２８から供給される温熱及び冷熱を他の複数の蓄熱槽１２，１６により別々に蓄熱可能であるとともに、他の複数の蓄熱槽１２，１６全てに温水を蓄熱可能である。【選択図】図１
2010286144.tif 000002
【特許請求の範囲】
【請求項１】
ヒートポンプシステムに設けられた圧縮機と、この圧縮機の出口側に接続された高温用熱交換器と、前記圧縮機により循環させられる冷媒の配管経路に膨張弁を挟んで設けられた一対の液体熱交換器と、前記圧縮機から送り出される冷媒の前記一対の液体熱交換器を通過する順序を切り替える四方弁とを備え、
前記高温用熱交換器は温水専用の蓄熱槽の水との間で熱交換して、前記温水専用の蓄熱槽内の水を温め、
前記一対の液体熱交換器には、開閉用の複数の弁を介して他の複数の蓄熱槽が接続され、前記一対の液体熱交換器から供給される温熱及び冷熱を前記他の複数の蓄熱槽により別々に蓄熱可能に設けられるとともに、前記他の複数の蓄熱槽全てに温水を蓄熱可能に設けられたことを特徴とする蓄熱式給湯空調システム。
【請求項２】
前記他の複数の蓄熱槽は、前記液体熱交換器の温熱供給側に接続され、温水により蓄熱可能である請求項１記載の蓄熱式給湯空調システム。
【請求項３】
前記他の複数の蓄熱槽は、前記液体熱交換器の冷熱供給側に接続され、冷水又は氷により蓄熱可能である請求項１記載の蓄熱式給湯空調システム。
【請求項４】
前記他の複数の蓄熱槽は、冷水又は氷蓄熱用の熱交換パイプと温水用の熱交換パイプとを上下に別々に備えた請求項１記載の蓄熱式給湯空調システム。
【発明の詳細な説明】
【技術分野】
【０００１】
この発明は、ヒートポンプと氷蓄熱や温水蓄熱を利用した蓄熱式給湯空調システムに関する。
【背景技術】
【０００２】
従来、住宅用の給湯空調システムとして、エネルギー効率を高めるために、ヒートポンプ給湯が可能で冷房の排熱を給湯加熱に利用することが可能なものや、貯湯槽に冷水蓄熱を行い電力負荷の平準化を図るものなどが提案されている。
【０００３】
例えば特許文献１に開示されたヒートポンプ式給湯空調システムは、給湯用ヒ−トポンプと冷暖房用ヒ−トポンプとを備えた給湯空調システムであって、給湯用ヒ−トポンプに、冷暖房用ヒ−トポンプの高温排熱を蓄熱するための温水蓄熱用水槽を設け、冷暖房用ヒ−トポンプにその低温排熱を蓄熱するための氷蓄熱用水槽を設け、これら両水槽の下部相互を連通管で連通させると共にその連通管に開閉弁を設けたものである。これにより、給湯・暖房運転の際、上記連通管の開閉弁を開いて温水蓄熱用水槽と氷蓄熱用水槽とを連通させることにより、氷蓄熱用水槽にも温熱を蓄熱することができる。そして、温熱蓄熱を増加でき、冬期において不足しがちであった給湯・暖房能力を向上することができるものである。また、蓄冷・冷房運転の際には、開閉弁を閉じて両水槽間の流通を遮断することにより、製氷手段の負荷を小さくすることができ、製氷効率が良く、蓄冷・冷房能力を向上させることができるものである。
【０００４】
また、特許文献２には、圧縮機、室内熱交換器、室外熱交換器などから構成される冷凍サイクルを備えた給湯空調装置において、前記冷凍サイクル内の冷媒と、複数の水タンクから導入する水との間で熱交換を行う熱交換器を設け、複数の水タンクは、熱交換器で受熱して温水となった水を供給する給湯槽と、内部の水の熱エネルギーを熱交換器にて冷凍サイクル側の冷媒に伝達する蓄冷熱槽とに、切換手段によって切換可能となるよう配管接続した給湯空調システムが開示されている。これにより、圧縮機の運転により循環する冷媒と複数の水タンクの水との間で、季節により熱交換器で受熱して温水となった水を供給する給湯槽と、内部の水の熱エネルギーを熱交換器にて冷凍サイクル側の冷媒に伝達する蓄冷熱槽とに適宜切換えて使用することができ、給湯槽の大きさに無駄が生じることがなく、設置スペースも小さくすることが可能となるものである。
【０００５】
さらに、特許文献３には、圧縮機と室外熱交換器と第１の減圧機構と室内熱交換器とがこの順に環状に接続されるとともに、循環ポンプによって循環する貯湯槽からの循環水を加熱して給湯加熱を行う給湯用熱交換器と、第２の減圧機構と、氷蓄熱および温水蓄熱兼用の蓄熱槽と、第３の減圧機構とが介装され、これらの間に冷媒が循環されてなる給湯空調システムが開示されている。これにより、氷蓄熱および温水蓄熱を利用して夜間電力が有効に利用され、空調負荷のピーク時の電力負荷平準化および割安な電力の利用による省ランニングコスト化が図られ、さらに氷蓄熱および冷房時の排熱を利用して給湯加熱され、省エネルギー化および省コスト化が図られるものである。
【先行技術文献】
【特許文献】
【０００６】
【特許文献１】特開平５−２２３４７７号公報
【特許文献２】特開平６−２２１７１７号公報
【特許文献３】特開２０００−１７９９８５号公報
【発明の概要】
【発明が解決しようとする課題】
【０００７】
上記背景技術の場合、複数の温水用タンクや蓄熱用タンクを備えて、温水蓄熱用と氷蓄熱又は蓄冷熱用に、タンクを兼用可能としたシステムであるが、ヒートポンプによるエネルギー媒体の循環において、大気との間で大きな熱交換が行われ、無駄に放出しているエネルギーが多く、システム全体としてエネルギー効率を最適化したものとはいえないものである。また、蓄熱槽の大きさは固定化されており、設置対象の物件の大きさに応じて蓄熱槽の大きさを変更することは難しいものである。
【０００８】
この発明は、上記背景技術に鑑みて成されたもので、簡単なシステム構成であって、無駄にするエネルギーが少なく、エネルギー効率が極めて高く、蓄熱槽の熱容量を適宜設定可能な蓄熱式給湯空調システムを提供することを目的とする。
【課題を解決するための手段】
【０００９】
この発明は、ヒートポンプシステムに設けられた圧縮機と、この圧縮機の出口側に接続された高温用熱交換器と、前記圧縮機により循環させられる冷媒の配管経路に膨張弁を挟んで設けられた一対の液体熱交換器と、前記圧縮機から送り出される冷媒の前記一対の液体熱交換器を通過する順序を切り替える四方弁とを備え、前記高温用熱交換器は温水専用の蓄熱槽の水との間で熱交換して、前記温水専用の蓄熱槽内の水を温め、前記一対の液体熱交換器には、開閉用の複数の弁を介して他の複数の蓄熱槽が接続され、前記一対の液体熱交換器から供給される温熱及び冷熱を前記他の複数の蓄熱槽により別々に蓄熱可能に設けられるとともに、前記他の複数の蓄熱槽全てに温水を蓄熱可能に設けられた蓄熱式給湯空調システムである。
【００１０】
前記他の複数の蓄熱槽は、前記液体熱交換器の温熱供給側に接続され、温水により蓄熱可能なものである。又は、前記他の複数の蓄熱槽は、前記液体熱交換器の冷熱供給側に接続され、冷水又は氷により蓄熱可能なものである。
【００１１】
また、前記他の複数の蓄熱槽は、冷水又は氷蓄熱用の熱交換パイプと温水用の熱交換パイプとを上下に別々に備えたものである。
【発明の効果】
【００１２】
この発明の簡単なシステム構成であって、大気中に無駄に放出するエネルギーが少なく、エネルギー効率が極めて高い蓄熱式給湯空調システムである。また、夏や冬においては、必要とする冷熱や温熱を効果的に大量に供給することができ、タンクの使用効率も良いものである。また、蓄熱槽の大きさや数を選択することにより、蓄熱可能な熱容量を適宜設定可能であり、設置対象の建物の大きさに応じて蓄熱槽の大きさや数を決定することにより、給湯空調能力を自由に設定することができ、設計の自由度が拡大するものである。
【図面の簡単な説明】
【００１３】
【図１】この発明の一実施形態の蓄熱式給湯空調システムの冷房モードの動作説明図である。
【図２】この発明の一実施形態の蓄熱式給湯空調システムの冷暖房混合モードの動作説明図である。
【図３】この発明の一実施形態の蓄熱式給湯空調システムの暖房モードの動作説明図である。
【図４】この発明の一実施形態の蓄熱式給湯空調システムの蓄熱槽の構成を示す断面図である。
【図５】この発明の一実施形態の蓄熱式給湯空調システムの熱交換パイプを示す平面図である。
【発明を実施するための最良の形態】
【００１４】
以下、この発明の蓄熱式給湯空調システムの一実施形態について、図面に基づいて説明する。この実施形態の蓄熱式給湯空調システムは、図１〜図３に示すように、家屋の温水供給と、室内の冷暖房に用いられる複数の蓄熱槽１２，１４，１６を備えたものである。この実施形態の蓄熱式給湯空調システム１０は、ヒートポンプシステム２０を備え、ヒートポンプシステム２０は、圧縮機２２と、圧縮機２２の冷媒の出口側に設けられた高温用熱交換器２３及び四方弁２４を備えている。四方弁２４は高温用熱交換機２３に接続され、四方弁２４の一方の出口は、配管２４ａにより圧縮機２２の冷媒の入り口に接続されている。さらに、四方弁２４の入出力口の一方には他の配管２４ｂが接続され、配管２８ｂに外気熱交換器２５、液体熱交換器２６、膨張弁２７、液体熱交換器２８が順に設けられ、四方弁２２の他の入出力口に接続されている。
【００１５】
液体熱交換器２６は、熱媒体であるブラインが循環する配管３０に接続され、ヒートポンプシステム２０により発生する冷熱又は温熱と熱交換する。配管３０の所定の箇所には、液体熱交換器２６からブラインの循環方向に、電磁弁３１、蓄熱槽１４内の熱交換パイプ３２、電磁弁３３、循環ポンプ３４が設けられ、液体熱交換器２６にブラインが還流するように接続されている。さらに、電磁弁３１の上流側で配管３０が分岐し、分岐管３０ａは、電磁弁３５を介して、蓄熱槽１２の熱交換パイプ３６、電磁弁３７を経て、循環ポンプ３４の手前で配管３０に接続され、液体熱交換器２６に繋がっている。
【００１６】
液体熱交換器２８も、熱媒体であるブラインが循環する配管４０に接続され、ヒートポンプシステム２０により、液体熱交換器２６側とは相反的に発生する温熱又は冷熱と熱交換する。配管４０の所定の箇所には、液体熱交換器２８からブラインの循環方向に、電磁弁４１、蓄熱槽１６内の熱交換パイプ４２、電磁弁４３、循環ポンプ４４が設けられ、液体熱交換器２８にブラインが還流するように接続されている。さらに、電磁弁４１の上流側で配管４０が分岐し、分岐管４０ａが電磁弁４５を介して、蓄熱槽１４の熱交換パイプ３２に接続され、電磁弁３３と並列に設けられた電磁弁４６を介して、循環ポンプ４４の手前で配管４０に接続され、液体熱交換器２８に繋がっている。さらに、電磁弁４５の上流側で配管４０ａが分岐し、分岐管４０ｂが電磁弁４７を介して、蓄熱槽１２の熱交換パイプ３６に接続され、電磁弁３７と並列に設けられた電磁弁４８を介して、循環ポンプ４４の手前で配管４０に接続され、液体熱交換器２８に繋がっている。
【００１７】
蓄熱槽１４は、温水専用の蓄熱槽であり、ヒートポンプシステム２０の高温用熱交換器２３と熱交換するための配管５０が接続されている。配管５０には、循環ポンプ５２が設けられ、蓄熱槽１４内の水が循環する。さらに、蓄熱槽１４には、補給水を供給する配管５３と、温水を供給する配管５４接続されている。配管５３には補給水用の開閉弁５５が設けられ、配管５４には、温水の加熱用のボイラー５６が接続され、給湯用配管５８に繋がっている。
【００１８】
蓄熱槽１２，１６は、温水と冷水兼用の蓄熱槽であり、各々配管６０，６１が取り付けられ、循環ポンプ６２，６３が設けられ、屋内の冷暖房回路６４，６５が接続されている。なお、蓄熱槽１２，１４，１６は、設置する建築物により大きさや数を適宜設定可能なものである。
【００１９】
蓄熱槽１２，１６内に取り付けられた熱交換パイプ３６，４２は、図４に示すように、冷水用熱交換パイプ３６ａと温水用熱交換パイプ３６ｂに分けられており、蓄熱槽１２，１６の入り口近傍に設けられた切換弁６６により、冷水と温水の場合で切り替え可能に設けられている。各熱交換パイプ３２，３６，４２の形状は、図４、図５に示すように、細い熱交換パイプ３２，３６，４２の各両端部が各々並列に、太いパイプである供給側メインパイプ７１と戻り側メインパイプ７２に各々接続されている。
【００２０】
次に、この実施形態の蓄熱式給湯空調システム１０の動作について説明する。まず、夏の冷房モードの場合について、図１を基にして説明する。ここで、ブラインの流れをわかりやすくするために、ブラインが流れない配管部分については破線で示す。以下、図２、図３についても同様である。
【００２１】
先ず、ヒートポンプシステム２０が作動すると、冷媒が圧縮機から送り出され、高温となる出口側に設けられた高温用熱交換器２３において、蓄熱槽１４内の水が循環して熱エネルギーが循環する水に与えられる。これにより、蓄熱槽１４内の水は温められる。さらに、高温用熱交換器２３を過ぎた冷媒は、四方弁２４を経て、外気熱交換器２５に送られ、若干外気と熱交換された後、液体熱交換器２６で、配管３０内を循環する熱交換媒体であるブラインに熱を与える。このとき、外気熱交換器２５では、冷媒温度が下がるので、極力熱交換されない方がよい。この後、膨張弁２７を経て、冷却した冷媒が、液体熱交換器２８に送られる。液体熱交換器２８では、配管４０を流れるブライン等の媒体と熱交換し、ブラインを冷却する。
【００２２】
液体熱交換器２６では、ヒートポンプシステム２０で循環する冷媒との間で熱交換が行われ、ブラインが暖められて配管３０を循環する。また、液体熱交換器２８では、ヒートポンプシステム２０で循環する冷媒との間で熱交換が行われ、ブラインが冷やされて配管４０を循環する。
【００２３】
このとき、蓄熱槽１２の入り口側の電磁弁３５は閉、電磁弁４７は開、出口側の電磁弁３７は閉、電磁弁４８は開である。蓄熱槽１４の入り口側の電磁弁３１は開、電磁弁４５は閉、出口側の電磁弁３３は開、電磁弁４６は閉である。さらに、蓄熱槽１６の入り口側の電磁弁４１及び出口側の電磁弁４３は開である。
【００２４】
これにより、まず液体熱交換器２６で温められたブラインは、配管３０を経て電磁弁３１を通過し、蓄熱槽１４の熱交換パイプ３２を通過し、蓄熱槽１４内の水と熱交換し、蓄熱槽１４内の水を温める。蓄熱槽１４を通過したブラインは、電磁弁３３を通過し、循環ポンプ３４により液体熱交換器２６に戻り、再び熱交換して温められて循環する。これにより、蓄熱槽１４には、高温用熱交換器２３による熱供給と相まって、多くの熱エネルギーが供給される。蓄熱槽１４の温水は、ボイラー５６を経て給湯として消費され、冷たい補給水が補充されるが、ヒートポンプシステム２０による排熱を効果的に利用して水を温めているので、ボイラー５６に十分な給湯能力を与えるとともに、消費エネルギーを減らし、熱効率を高める。
【００２５】
一方、液体熱交換器２８で冷やされたブラインは、配管４０を経て電磁弁４１を通過し、蓄熱槽１６の熱交換パイプ４２を通過し、蓄熱槽１６内の水と熱交換し、蓄熱槽１６内の水を冷やす。蓄熱槽１６を通過したブラインは、電磁弁４３を通過し、循環ポンプ４４により液体熱交換器２８に戻り、再び熱交換して冷やされて循環する。さらに、配管４０の分岐管４０ａを通過したブラインは、電磁弁４７を通過し、蓄熱槽１２の熱交換パイプ３６を通過し、蓄熱槽１２内の水と熱交換し、蓄熱槽１２内の水を冷やす。蓄熱槽１２を通過したブラインは、電磁弁４８を通過し、配管４０に合流し、循環ポンプ４４により液体熱交換器２８に戻り、再び熱交換して冷やされて循環する。
【００２６】
蓄熱槽１２，１６では、冷暖房回路６４，６５を循環する水と熱交換して冷却し、室内の冷房に冷熱が供される。また、蓄熱槽１２，１６には、深夜電力により氷蓄熱を行うこともでき、よりコストがかからず効率的な冷房を可能にする。
【００２７】
次に、冷温水を同時に蓄熱し、冷暖房回路６４には冷水を供給し、冷暖房回路６５には温水を供給する冷暖房混合モードの場合について、図２を基にして説明する。このモードでも、ヒートポンプシステム２０が作動すると、冷媒が圧縮機から送り出され、高温となる出口側に設けられた高温用熱交換器２３において、蓄熱槽１４内の水が循環して熱エネルギーが循環する水に与えられる。高温用熱交換器２３を過ぎた冷媒は、四方弁２４を経て、上記モードとは逆に液体熱交換器２８に送られ、配管４０内を循環する熱交換媒体であるブラインに熱を与える。この後、膨張弁２７を経て、冷却した冷媒が、液体熱交換器２６に送られ、配管３０を流れるブライン等の媒体と熱交換し、ブラインを冷却する。さらにヒートポンプシステム２０の冷媒は、外気熱交換器２５により冷却されて、四方弁２４を経て圧縮機２２に戻る。
【００２８】
このとき、蓄熱槽１２の入り口側の電磁弁３５は開、電磁弁４７は閉、出口側の電磁弁３７は開、電磁弁４８は閉である。蓄熱槽１４の入り口側の電磁弁３１は閉、電磁弁４５は開、出口側の電磁弁３３は閉、電磁弁４６開である。さらに、蓄熱槽１６の入り口側の電磁弁４１及び出口側の電磁弁４３は開である。
【００２９】
これにより、まず液体熱交換器２６で冷やされたブラインは、配管３０を経て電磁弁３５を通過し、蓄熱槽１２の熱交換パイプ３６を通過し、蓄熱槽１２内の水と熱交換し、蓄熱槽１２内の水を冷やす。蓄熱槽１２を通過したブラインは、電磁弁３７を通過し、循環ポンプ３４により液体熱交換器２６に戻り、再び熱交換して冷やされて循環する。蓄熱槽１２には、冷熱が供給されて冷暖房回路６４を循環する水を冷やし、室内の冷房に蓄熱槽１２の冷熱が利用される。また蓄熱槽１２には、深夜電力により氷蓄熱を行うこともでき、よりコストがかからず効率的な冷房を可能にする。
【００３０】
一方、液体熱交換器２８で温められたブラインは、配管４０を経て電磁弁４１を通過し、蓄熱槽１６の熱交換パイプ４２を通過し、蓄熱槽１６内の水と熱交換し、蓄熱槽１６内の水を温める。蓄熱槽１６を通過したブラインは、電磁弁４３を通過し、循環ポンプ４４により液体熱交換器２８に戻り、再び熱交換して温められて循環する。さらに、配管４０の分岐管４０ａを通過したブラインは、分岐管４０ｂを経て電磁弁４５を通過し、蓄熱槽１４の熱交換パイプ３６を通過し、蓄熱槽１４内の水と熱交換し、蓄熱槽１４内の水を温める。蓄熱槽１４を通過したブラインは、電磁弁４６を通過し、配管４０に合流し、循環ポンプ４４により液体熱交換器２８に戻り、再び熱交換して温められて循環する。
【００３１】
蓄熱槽１４では、上記モードと同様に、高温用熱交換器２３による熱交換と相まって、多くの熱エネルギーが供給され、ボイラー５６に供給される水をあらかじめ温めて負荷を減らし、十分な給湯能力を与えるとともに、ボイラー５６の消費エネルギーを減らし、熱効率を高める。また、冷暖房回路６５を循環する熱交換媒体と熱交換して、熱交換媒体を温め、室内の暖房に蓄熱槽１６の熱が利用される。
【００３２】
次に、夏場以外で温水の利用が多い場合について、図３を基にして説明する。この暖房モードでも、ヒートポンプシステム２０が作動すると、冷媒が圧縮機から送り出され、高温となる出口側に設けられた高温用熱交換器２３において、蓄熱槽１４内の水が循環して熱エネルギーが循環する水に与えられる。高温用熱交換器２３を過ぎた冷媒は、四方弁２４を経て、図１の冷房モードとは逆に液体熱交換器２８に送られ、配管４０内を循環する熱交換媒体であるブラインに熱を与える。この後、膨張弁２７を経て、冷却した冷媒が液体熱交換器２６を通過し、外気熱交換器２５により冷却されて、四方弁２４を経て圧縮機２２に戻る。このとき、後述するように循環ポンプ３４は停止しているので、熱交換機２６ではブライン等の媒体と熱交換は行われない。
【００３３】
このとき、蓄熱槽１２の入り口側の電磁弁３５は閉、電磁弁４７は開、出口側の電磁弁３７は閉、電磁弁４８は開である。蓄熱槽１４の入り口側の電磁弁３１は閉、電磁弁４５は開、出口側の電磁弁３３は閉、電磁弁４６開である。さらに、蓄熱槽１６の入り口側の電磁弁４１及び出口側の電磁弁４３は開である。
【００３４】
この暖房モードでは、循環ポンプ３４は停止している。これにより、液体熱交換器２８で温められたブラインは、配管４０を経て電磁弁４１を通過し、蓄熱槽１６の熱交換パイプ４２を通過し、蓄熱槽１６内の水と熱交換し、蓄熱槽１６内の水を温める。蓄熱槽１６を通過したブラインは、電磁弁４３を通過し、循環ポンプ４４により液体熱交換器２８に戻り、再び熱交換して温められて循環する。さらに、配管４０の分岐管４０ａを通過したブラインは、分岐管４０ｂを経て電磁弁４５を通過し、蓄熱槽１４の熱交換パイプ３６を通過し、蓄熱槽１４内の水と熱交換し、蓄熱槽１４内の水を温める。蓄熱槽１４を通過したブラインは、電磁弁４６を通過し、配管４０に合流し、循環ポンプ４４により液体熱交換器２８に戻り、再び熱交換して温められて循環する。
【００３５】
蓄熱槽１４では、上記モードと同様に、高温用熱交換器２３による熱交換と相まって、多くの熱エネルギーが供給され、ボイラー５６に十分な給湯能力を与えるとともに、ボイラー５６の消費エネルギーを減らし、熱効率を高める。また、冷暖房回路６５を循環する熱交換媒体と熱交換して、熱交換媒体を温め、室内の暖房に蓄熱槽１６の熱が利用される。
【００３６】
さらに、配管４０の分岐管４０ａを通過したブラインは、電磁弁４７を通過し、蓄熱槽１２の熱交換パイプ３６を通過し、蓄熱槽１２内の水と熱交換し、蓄熱槽１２内の水を温める。蓄熱槽１２を通過したブラインは、電磁弁４８を通過し、配管４０に合流し、循環ポンプ４４により液体熱交換器２８に戻り、再び熱交換して冷やされて循環する。
【００３７】
また、外気熱交換器２５の除霜を行うときは、循環ポンプ４４を停止し、循環ポンプ３４を駆動させるとともに、電磁弁４７を閉じて電磁弁３５を開き、電磁弁４８を閉じて電磁弁３７を開き、蓄熱槽１２内の温水の熱エネルギーを液体熱交換器２６に供給し、除霜を行う。
【００３８】
この実施形態の蓄熱式給湯空調システム１０によれば、ヒートポンプシステム２０により発生する温熱及び冷熱を効率的に空調及び給湯に利用することができ、蓄熱槽１２，１４，１６を効率的に利用することができ、必要な熱量を効果的に蓄えることができる。これにより、熱効率の良い給湯や冷暖房システムを構成することができる。また、設置対象の建物の大きさに応じて、蓄熱槽１２，１４，１６の大きさや数を自由に選択することができ、設計の自由度が拡大するものである。
【００３９】
なおこの発明の蓄熱式給湯空調システムは、上記実施形態に限定されるものではなく、熱源として太陽光による集熱パネルを加えても良く、深夜電力と太陽光を利用することにより、より低コストの蓄熱式給湯空調システムを構成することができる。また、蓄熱槽の数や熱交換パイプの構成も適宜選択可能なものである。
【符号の説明】
【００４０】
１０  蓄熱式給湯空調システム
１２，１４，１６  蓄熱槽
２０  ヒートポンプシステム
２２  圧縮機
２３  高温用熱交換器
２４  四方弁
２４ａ，２４ｂ，３０，４０，６０，６１  配管
２６，２８  液体熱交換器
２７  膨張弁
３２，３６，４２  熱交換パイプ
【図１】
2010286144.tif 000003
【図２】
2010286144.tif 000004
【図３】
2010286144.tif 000005
【図４】
2010286144.tif 000006
【図５】
2010286144.tif 000007